(57)【要約】【課題】メタアンフェタミンの存在に関して生体液を試験する側流式試験装置を提供する。【手段】該装置４０はメタアンフェタミンの存在を検出するための抗体ゾーン２６と、固定化薬物コンジュゲートゾーン３０と、試験する生体液に存在し得るエフェドリンおよび／または擬似エフェドリンに対する望ましくない交差反応性を防ぐためのオンボード化学反応物を含む、ニトロセルロースストリップなどの支持部材１２とを有する。好ましくはこの化学反応物は過ヨウ素酸ナトリウムである。また、メタアンフェタミン側流式試験ストリップの製造中に支持シートに過ヨウ素酸ナトリウムを含有する溶液のストライプを配する工程を有する試験装置の製造方法を提供する。【特許請求の範囲】
【請求項１】
支持体と、
支持体に付着した液体サンプルにおけるメタアンフェタミンの存在を検出するための抗体ゾーンと薬物コンジュゲートゾーンとを有する、液体試料における目的アナライトの存在を検出する薬物検出器と、
液体試料における目的アナライト以外の物質による望ましくない交差反応性を防ぐために、その支持体に搭載され、かつ、抗体ゾーンと薬物コンジュゲートゾーンの間に配置された化学試薬とを有してなることを特徴とする、側流式試験装置。
【請求項２】
化学試薬ゾーンが液体サンプルにおけるエフェドリンまたは擬似エフェドリンの存在に対する望ましくない交差反応性を防ぐ上で有効な化学試薬を含む、請求項１に記載の側流式試験装置。
【請求項３】
化学試薬が過ヨウ素酸ナトリウムを含む、請求項２に記載の側流式試験装置。
【請求項４】
化学試薬が約１９マイクログラムの過ヨウ素酸ナトリウムを含む、請求項３に記載の側流式試験装置。
【請求項５】
抗体ゾーンがメタアンフェタミン抗体を含む、請求項１に記載の側流式試験装置。
【請求項６】
抗体ゾーンが有色粒子結合抗体を含む、請求項１に記載の側流式試験装置。
【請求項７】
抗体ゾーンが有色粒子に結合されたメタアンフェタミン抗体を含む、請求項１に記載の側流式試験装置。
【請求項８】
薬物コンジュゲートゾーンが固定化薬物コンジュゲートを含む、請求項１に記載の側流式試験装置。
【請求項９】
薬物コンジュゲートが物理吸着によって支持体に保持されている、請求項８に記載の側流式試験装置。
【請求項１０】
化学試薬ゾーンが過ヨウ素酸ナトリウムを含み、抗体ゾーンが有色粒子結合抗体を含み、かつ、薬物コンジュゲートゾーンが固定化薬物コンジュゲートを含む、請求項１に記載の側流式試験装置。
【請求項１１】
細長く、サンプル導入部分を有する支持体と、
サンプル導入部分から支持体の長辺を通って吸収エンドパットへと液体試料を吸い込むために支持体に接続された吸収エンドパットと、
サンプル導入部分の下流の支持体に配置されたメタアンフェタミン抗体ゾーンと、
メタアンフェアミン抗体ゾーンの下流の支持体に配置された薬物コンジュゲートゾーンと、
液体試料におけるエフェドリンまたは擬似エフェドリンの存在によって生じる交差反応性を実質的に排除するために、支持体に配置され、メタアンフェタミン抗体ゾーンと薬物コンジュゲートゾーンの間に配置された過ヨウ素酸塩ゾーンとを有してなることを特徴とする、競合阻害アッセイ試験装置。
【請求項１２】
メタアンフェタミン抗体ゾーンが有色粒子結合抗体を含む、請求項１１に記載の競合阻害アッセイ試験装置。
【請求項１３】
支持体がニトロセルロースストリップを含む、請求項１１に記載の競合阻害アッセイ試験装置。
【請求項１４】
化学試薬ゾーンが約１９マイクログラムの過ヨウ素酸ナトリウムを含む、請求項１３に記載の競合阻害アッセイ試験装置。
【請求項１５】
未処理の液体サンプルにおけるメタアンフェタミンの検出のための側流式試験装置を製造する方法であって、
支持体シートを準備し、
シートの第一の部分にメタアンフェタミン抗体を塗布し、
シートの第二の部分に薬物コンジュゲートを塗布し、さらに
第一の部分と第二の部分から一定の間隔を置いてシートに、過ヨウ素酸ナトリウムを含有する溶液を塗布する工程を有してなることを特徴とする側流式試験装置の製造方法。
【請求項１６】
メタアンフェタミン抗体を塗布する工程が有色粒子結合抗体を塗布することを含む、請求項１５に記載の側流式試験装置の製造方法。
【請求項１７】
薬物コンジュゲートを塗布する工程が支持体に薬物コンジュゲートを固定化することを含む、請求項１５に記載の側流式試験装置の製造方法。
【請求項１８】
溶液を塗布する工程が支持体シートの、第一の部分と第二の部分の間に配置されている第三の部分に、過ヨウ素酸ナトリウムを含有する溶液を塗布することを含む、請求項１７に記載の側流式試験装置の製造方法。
【請求項１９】
支持体を複数のストリップに切断する工程をさらに有する、請求項１７に記載の側流式試験装置の製造方法。
【請求項２０】
支持体をストリップに切断する工程が過ヨウ素酸ナトリウムを含有する溶液を塗布する工程に後に行われる、請求項１９に記載の側流式試験装置の製造方法。
【請求項２１】
未処理の液体サンプルにおけるメタアンフェタミンの検出のための側流式試験装置を製造する方法であって、
液体サンプルにおいてメタアンフェタミンの検出を可能とする上で有効な化学試薬で処理したメタアンフェタミン側流式試験シートを準備し、
望ましくない交差反応性を排除するためにシートの一部に、過ヨウ素酸ナトリウムを含有する溶液を塗布し、さらに
そのシートを個々のメタアンフェタミン試験ストリップに切断する工程を有してなることを特徴とする側流式試験装置の製造方法。
【請求項２２】
溶液を塗布する工程が過ヨウ素酸ナトリウムを含有する溶液を支持体シートにストライプ状に配することを含む、請求項２１に記載の側流式試験装置の製造方法方法。
【発明の詳細な説明】
【０００１】
【発明の属する技術分野】
本発明は、一般に、ある種の「濫用薬物」の存在に関して生体液を試験する試験装置および方法に関し、さらに詳しくは、生物サンプルにおけるメタアンフェタミンの存在を試験するための側流式（ラテラルフロー）試験装置および方法、ならびにサンプル中に存在し得る他の物質に対する望ましくない交差反応性の排除に関する。
【０００２】
【従来の技術】
臨床診断は一般にその個体の健康または全身状態に関する種々の物質の同定および測定に関するものである。医師、ヘルスケア従事者、また一般人も、血液、尿などの体液中の種々の物質の存在およびレベルに関心がある。長年にわたって臨床分析において測定されてきた物質としてはグルコース、コレステロール、ならびにアミラーゼおよびクレアチンキナーゼなどの種々の酵素がある。
【０００３】
側流式試験装置が生体液試料中の特定の化合物すなわちアナライトの検出のために広く用いられている。１以上の試薬がセルロースまたはペーパーストリップなどの固体材料にストライプ状に配されており、これらの試薬は問題のアナライトを検出する上での不可欠なものとして、または助けとなるように選択される。このストリップ上に液体サンプルを置くと、毛管作用によりストリップに沿って移動し、そこでアナライトの有無に応じて化学反応が起こる。
【０００４】
生体液の化学分析によって物質濫用、例えば所持および使用に関して法で規制されている薬物の存在を試験する装置は周知である。過去、メタアンフェタミンは、薄層クロマトグラフィー（ＴＬＣ）、ガスクロマトグラフィー（ＧＣ）、および高速液体クロマトグラフィー（ＨＰＬＣ）をはじめとするいくつかの技術を用いて検出されてきた。これらの方法には一般に熟練者と長いアッセイ時間を要する煩雑な手順の薬物の化学抽出が含まれる。薄層クロマトグラフィーは労力集約的であって、感受性も低い。ガスクロマトグラフィーおよび高速液体クロマトグラフィーもそれぞれ労力集約的であって、生体マトリックスからアナライトの抽出を行うのに熟練者を要する。さらにガスクロマトグラフィーは通常、誘導体化の工程も要する。
【０００５】
もっと最近では、ある種の物質濫用の存在に関して生体液を試験するための競合結合免疫アッセイが開発されており、これらは上記に簡単に記載した物理的方法の好ましい代替法となる。免疫アッセイ試験装置は一般にストリップ上の特定のゾーンに１以上の試薬が組み込まれた吸収性の繊維状ストリップを含む。このストリップ上に液体サンプルを置くと、毛管作用によってサンプルはストリップに沿って移動して特定の試薬ゾーンに入り、そこで化学反応が起こる。例えば変色など、最少量の目的物質の存在下で検出可能な応答を示す少なくとも１種類の試薬が含まれる。
【０００６】
免疫アッセイ技術に基づく側流式「濫用薬物」試験製品を用いた場合の限定要因は、ダイエット物質または鼻づまり緩和薬などの売薬を使用中の使用者からは偽陽性が生じる可能性があるということである。これらの製品は活性物質のエフェドリンまたは擬似エフェドリンを含み得る。メタアンフェタミン免疫アッセイに基づく数種の側流式試験製品はこの群の交感神経興奮アミンと望ましくない交差反応性を示す。これは「偽」陽性の初回スクリーニング結果をもたらし、さらなる試験およびこの結果の確認のために実験室にその液体サンプルを送る必要があるのが典型である。この確認実験室では可能性のある交差反応性の問題に取り組むために、いくつかの補助的手法の後にガスクロマトグラフィー−質量分析（「ＧＣ／ＭＳ」）を用いることになる。このＧＣ／ＭＳ法は煩雑な手順の目的薬物の化学抽出を含み、熟練者を要する。
【０００７】
偽陽性の発生を少なくするための免疫アッセイ試験の前に尿サンプルを前処理することが提案されている。例えば１９９３年１１月１６日にＨｅｉｍａｎらに対して発行された米国特許第５，２６２，３３３号は蛍光偏光免疫測定法を用いて尿サンプル中のアンフェタミンおよびｄ−メタアンフェタミンを測定する方法を開示している。Ｈｅｉｍａｎらの特許に記載の手法は、尿サンプルをｐＨ約４．５の過ヨウ素酸水溶液とともにプレインキュベートすることで交差反応性（すなわち、所望の目的物質以外の化合物の認識）を排除するために尿サンプルを前処理する工程を含む。Ｈｅｉｍａｎらによれば、記載の手法は１−メタアンフェタミンおよび処方性調剤や売薬に一般に存在しているその他のアンフェタミン様化合物に対する交差反応性から生じる「偽」陽性の発生を軽減する。
【０００８】
１９９６年１１月１２日にＫｈａｎｎａらに対して発行された米国特許第５，５７３，９５５号は、サンプル中に存在するチラミンを脱アミノ化するに十分な時間、温度およびｐＨでチラミンオキシダーゼ水溶液でサンプルを前処理することを含む、アンフェタミンおよびメタアンフェタミン免疫アッセイからのチラミン干渉を軽減または排除する方法を記載している。次にこの前処理サンプルを免疫アッセイ試験装置に塗布する。
【０００９】
【発明が解決しようとする課題】
煩雑でコストのかかる確認方法を要することなく、また、「偽」陽性結果の発生の可能性を軽減または排除するための前処理工程も要することなく、ある種の濫用薬物の存在に関して生体液試料を試験するのに使用が容易で、安価で確実な装置および方法があれば有益である。本発明はかかる装置および方法を提供する。
【００１０】
【課題を解決するための手段】
本発明は、サンプル中に存在し得る他の類似物質に対して交差反応性の問題を示さずに、ある種の濫用薬物、例えばメタアンフェタミンの存在を検出するのに有効な装置および方法を提供する。
本発明によれば、特に競合阻害アッセイ試験装置が提供される。この装置は一般に支持体、例えばサンプル導入部分と薬物検出部分を有するニトロセルロース試験ストリップを含む。この薬物検出部分には生体液、例えば尿のサンプル中のメタアンフェタミンの存在を検出する手段が導入される。この薬物検出手段は有色粒子結合抗体および固定化薬物コンジュゲートゾーンを含む。この固定化薬物コンジュゲートゾーンはストリップ上でライン状になっており、物理吸着によって保持されている。サンプルがサンプルパッドに導入されると、コンジュゲートパッドへと移動して結合している抗体を可溶化する。サンプルと色素標識抗体は側流式ストリップを降下し、毛管作用によってサンプルをストリップに導く働きをする吸収エンドパッドへと運ばれる。可動態となった有色抗体はストリップを薬物コンジュゲートラインに向かって降下する。抗体が薬物コンジュゲートライン上で薬物を認識すれば、その溶液の一部が停止して有色ラインを形成する。残部はストリップを降下し続け、そこでさらに一部が非特異的「試験確認」ラインと相互作用する。その残部はストリップに接続されたエンドパッドへと流れ込む。このようなメタアンフェタミン試験ストリップは周知であり、従ってこのようなストリップの製造に関する詳細は本明細書には含めない。
【００１１】
重要なことには、従来のメタアンフェタミン試験装置とは違い、本装置は支持体ストリップに搭載された付加的な化学試薬をさらに含む。この付加的な化学試薬は液体試料中に存在し得るエフェドリンおよび擬似エフェドリンなどのある種の有効化合物の存在によって生じる望ましくない交差反応性を防ぐ手段となる。より具体的には、この化学試薬は支持体上に塗布またはストライプ状に配された過ヨウ素酸ナトリウムを含む。この過ヨウ素酸ナトリウムは抗体ゾーンと固定化薬物コンジュゲートゾーンの間に位置する支持体の部分またはゾーンに塗布する。過ヨウ素酸ナトリウムゾーンの配置は本装置の有効性にとって重要であることが分かっている。例えば有色粒子抗体ゾーンの前など、ストリップ上の種々の位置への過ヨウ素酸ナトリウムゾーンの配置はエフェドリンまたは偽エフェドリン関連の干渉問題を防ぐ上で有効でない。
【００１２】
有利には、本装置は、エフェドリンまたは擬似エフェドリンを含む未処理の尿試料のメタアンフェタミンスクリーニングに用いる場合であっても、いわゆる「偽」陽性試験結果を示さない簡便、安価で確実なメタアンフェタミン試験ストリップを提供する。
【００１３】
【発明の実施の形態】
以下、詳細な説明において、添付の図面を参照して本発明を詳しく説明する。
図１に本発明の試験装置１０が示されている。装置１０は一般に支持体１２（例えばニトロセルロース試験ストリップ）、サンプルパッド１８を含むサンプル導入部分、および吸収エンドパッド１９を含む。尿試料などの液体サンプルをサンプルパッド１８に付着させると、ニトロセルロースストリップ１２の毛管作用によって、液体サンプルは、サンプルパッド１８からストリップ１２の長辺に沿ってエンドパッド１９へと運ばれる。
【００１４】
ストリップ１２はサンプルパッド１８に付着した尿試料中のメタアンフェタミンの存在の検出を可能とする手段を提供するよう適合されている。より具体的には、本発明の装置１０は競合阻害アッセイ型試験装置である。このように例えば、薬物検出手段としては有色粒子結合抗体領域２６と、その結合抗体領域２６の下流に固定化薬剤コンジュゲートゾーン３０を含めばよい。この固定化薬剤コンジュゲートゾーン３０は目的物質（すなわちメタアンフェタミン）の不在下では変色を示す。
【００１５】
いっそう具体的には、抗体領域２６はマーカー剤、好ましくは有色粒子、例えば金粒子または染色ラテックスと結合させたメタアンフェタミン抗体を含む。抗体領域２６はサンプルパッド１８のすぐ下流にあり、コンジュゲートリリースパッド３２上に配置してもよいし、あるいはニトロセルロースストリップ１２に物理的に取り付けてもよい。（例えば、参照によりそのまま本明細書に組み入れられる、Ｋｌｉｍｏｖらに対する米国特許第５，７７０，４５８号参照。）
薬物コンジュゲートゾーン３０は示されているようにニトロセルロースストリップ１２上にライン状に固定化されている薬物コンジュゲートを含む。この薬物コンジュゲートは物理吸着またはその他の好適な手段でストリップに保持される。試験装置１０はまた、サンプルパッド１８に付着した液体サンプルが所望のようにストリップ１２の長辺に沿って移動したかどうかを確かめるための試験有効性または確認ゾーン３４を含んでもよい。競合阻害アッセイメタアンフェタミン試験ストリップの製造に用いる工程および材料は周知であり、従ってその詳細は本明細書には含めない。
【００１６】
重要なことには、装置１０は、液体サンプル中に存在し得るある種の活性化合物、特にエフェドリンおよび／または擬似エフェドリンの存在によって生じる望ましくない交差反応性を防ぐ手段となる、支持体１２に搭載された付加的な化学試薬を含む。
より詳しくは、装置１０は、過ヨウ素酸ナトリウムを含有する溶液で処理したストリップ１２の領域４４をさらに有し、この過ヨウ素酸処理領域４４は抗体領域２６と薬物コンジュゲートライン３０の間に配置される。過ヨウ素酸塩処理領域（以下、「過ヨウ素酸塩ゾーン」とも呼ばれる）４４は未処理の尿サンプルにおけるエフェドリンおよび擬似エフェドリン交差反応性を実質的または完全に排除するに有効な量で支持体１２に配合されている過ヨウ素酸塩を含む。
【００１７】
具体的には例えば過ヨウ素酸ナトリウム溶液は約３７ｍｇ／ｍＬの過ヨウ素酸ナトリウムを含有する溶液を含み、これを通常の手段を用いて支持体１２に塗布するか、またはストライプ状に配する。例えば過ヨウ素酸ナトリウムを１ｍＬ／ｃｍの割合で支持体にストライプ状に配する。これは０．５ｃｍ幅のストリップに約１９μｇの過ヨウ素酸塩（ストリップ当たり約０．０９μｍの過ヨウ素酸塩）となる。
過ヨウ素酸塩ゾーン４４は、ストリップ１２の、液体サンプルをまず抗体と、次に薬物コンジュゲートゾーン３０に入る手前の過ヨウ素酸塩ラインと相互作用させるような位置に置くことが重要である。理論上、エフェドリンは液体の薬物コンジュゲートラインへの移動中に抗体活性部位を占めてしまうので、過ヨウ素酸ナトリウムラインがないと試験はできない。競合阻害アッセイ試験装置では、薬物コンジュゲートゾーン３０に見られる有色の目に見えるラインはメタアンフェタミンの存在に関して陰性の試験結果を示し、薬物コンジュゲートゾーンに目に見えるラインがなければ陽性の試験結果を示す。液体サンプル中にエフェドリンが存在する場合は、活性抗体部位がすでにエフェドリンで示されているので、固定化薬物コンジュゲートは移動している有色粒子抗体とは結合しない。このように有色粒子が薬物コンジュゲートライン２６を過ぎて移動すると固定化薬物コンジュゲートゾーンに保持されず、その結果、尿サンプル中にメタアンフェタミンが存在しない場合であっても「陽性」の試験結果が生じる。
【００１８】
有色粒子結合抗体ゾーン２６と薬物コンジュゲートゾーン３０の間に過ヨウ素酸塩ライン４４を設けることで、理論上、エフェドリン含有液体サンプルの薬物コンジュゲートラインへの移動時間中に有色粒子結合抗体上の活性部位にエフェドリンは存在しないことから、この場合には薬物コンジュゲートゾーン３０の固定化薬物コンジュゲートと相互作用することができる。興味深いことに、過ヨウ素酸塩ゾーン４４が抗体ゾーン２６の上流に配置されている場合、または過ヨウ素酸塩がサンプルパッド１８に配置されている場合には試験はできないことが分かっている。
【００１９】
本発明の試験中、従来のメタアンフェタミン試験ストリップおよび本発明のオンボード過ヨウ素酸塩ゾーンを有するメタアンフェタミン試験ストリップを試した。性能精度は物質エフェドリンまたは偽エフェドリンを高レベル（例えば約５０，０００ｎｇ／ｍＬ）で含有し、物質メタアンフェタミンを含まない尿標準品で測定した。
予期されたように、従来のメタアンフェタミンストリップはメタアンフェタミンの存在を誤って示し、「陽性」の結果を示した。これに対して、本発明の過ヨウ素酸塩処理ストリップは同じ尿標準品で試した場合、メタアンフェタミンに関して「陰性」結果を示した。
【００２０】
本発明の過ヨウ素酸塩処理ストリップを種々のレベル、特にカットオフより高いレベル、カットオフのレベル、およびカットオフより低いレベルでメタアンフェタミンを含んだ尿標準品でさらに試験した。これらの尿標準品はまた、これまでに記載したように高レベルのエフェドリンおよび擬似エフェドリンを含んだ。ストリップ性能は厳密に尿サンプル中の適切なレベルのアンフェタミンの存在を示した。
【００２１】
別の一連の実験では、エフェドリンを含有する市販のダイエットサプリメントを摂取した被験者からの基準尿試料を分析することを含んで行われた。ラベルに奨励されている用量に従った。被験者から尿試料を採取し、本発明のオンボード過ヨウ素酸塩側流式試験ストリップおよび従来の側流式試験装置の両者をメタアンフェタミンに関して試験した。従来の装置はメタアンフェタミン陽性の結果を示した。本発明のストリップはメタアンフェタミンに関して陰性の結果を示した。
【００２２】
これらの結果を確認するため、ＧＣ／ＭＳおよび広範囲薬物分析をはじめとする従来の実験手順を用いて確かな尿試料をさらに試験した。広範囲薬物スペクトラム分析は擬似エフェドリン、フェニルプロパノールアミン、アンフェタミン、フェンテルミンおよびメタアンフェタミンの識別を可能とする交感神経興奮アミン特有の方法を含めて拡張した。サンプルに対する各確認試験はメタアンフェタミンの不存在とエフェドリンの存在を示した。
【００２３】
さらに本発明は、未処理の液体サンプル中のメタアンフェタミンを検出する側流式試験装置を製造する方法を提供する。この方法は一般に支持ストリップまたはシートなどの支持部材を準備し、そのシートに塗布される液体サンプル中のメタアンフェタミンの検出を可能とする上で有効である適当な化学試薬でその部材を処理する工程を有する。
より具体的にはこの処理工程は、支持部材の第一の部分をメタアンフェタミン抗体で処理し、支持部材の第二の部分を固定化薬物コンジュゲートで処理することを含む。重要なことには本方法はさらに、第一の部分と第二の部分の間に配置された支持シートの一部に過ヨウ素酸ナトリウムを含有する溶液を塗布することを含む。過ヨウ素酸ナトリウムは尿サンプル中のエフェドリンまたは擬似エフェドリンの存在下での望ましくない公差反応性を防ぐのに有効な量で塗布する。この溶液は支持シートに約３７ｍｇ／ｍＬ濃度の過ヨウ素酸ナトリウムを含む過ヨウ素酸ナトリウム溶液をストライプ状に配することで塗布してもよい。
【００２４】
本発明のもう１つの実施形態では、完全競合阻害メタアンフェタミン側流式試験部材が得られ、次にこれを上記のように過ヨウ素酸ナトリウムで処理して試験部材の信頼性を向上させる。
もう１つの実施形態では、支持シートは「インプロセス」メタアンフェタミン側流式試験シートを含んでもよい。例えばこのシートは、液体サンプル中のメタアンフェタミンの検出を可能とする上で有効な化学試薬で処理した側流式の競合阻害アッセイ試験シートを含んでもよい。この実施形態では、この方法は好ましくは支持シートを複数の個々の試験ストリップに切断する工程をさらに有する。この切断工程は過ヨウ素酸ナトリウム溶液を塗布する工程の後に行うのが好ましい。
【００２５】
以上、本発明が有利に使用できる様式を示すことを目的に本発明のオンボード化学反応物を含む側流式試験装置およびそれを製造する方法を記載してきたが、本発明はこれに限定されるものではない。
例えば、上記の記載は尿中のメタアンフェタミンを検出するための側流式試験装置について述べたものであるが、この装置は適当な改変を伴えば、口腔液、全血、血清および血漿などの他の液体サンプル中のメタアンフェタミンの検出のためにも使用できる。
【００２６】
また、本明細書はエフェドリン関連の交差反応性の排除について述べたものであるが、本発明は適当な改変を伴えば、同様に他の物質との望ましくない交差反応性を除去するためにも有用である。例えば本発明は、チラミンの干渉を軽減する手段を含むメタアンフェタミン試験装置を提供し得る。例えば付加的な化学試薬としては試験する液体サンプルに存在するチラミンを脱アミノ化するためチラミンオキシダーゼ溶液を含んでもよい。このように、当業者が意図し得るいずれの、またあらゆる改変、変更、または同等の配置が添付のクレームで定義される本発明の範囲内にあるものとみなすものとする。
【図面の簡単な説明】
【図１】
本発明のメタアンフェタミン試験装置の斜視図を示す。
【符号の説明】
１０  試験装置
１２  支持体
１８  サンプルパッド
１９  吸収エンドパッド
２６  有色粒子結合抗体領域
３０  固定化薬剤コンジュゲートゾーン
【図１】
2004518133.tif 000002
【国際公開パンフレット】
2004518133.tif 000003
2004518133.tif 000004
2004518133.tif 000005
2004518133.tif 000006
2004518133.tif 000007
2004518133.tif 000008
2004518133.tif 000009
2004518133.tif 000010
2004518133.tif 000011
2004518133.tif 000012
2004518133.tif 000013
2004518133.tif 000014
2004518133.tif 000015
2004518133.tif 000016
2004518133.tif 000017
2004518133.tif 000018
2004518133.tif 000019
2004518133.tif 000020
【国際公開パンフレット（コレクトバージョン）】
2004518133.tif 000021
【国際調査報告】
2004518133.tif 000022